(57)【要約】      （修正有）【課題】一人でも簡単に天井張り工事が出来る天井板張り工事用補助器具を提供する。【解決手段】建築物の屋内、屋外に設けられた天井野縁に支点と支持を持たせた補助器具で、さらに略コ字状断面の補助器具の縦面に長手方向両端に所定寸法の切り込みを設けた。この補助器具を使用してボード、ケイカル板、ベニア等の天井材を野縁との間に挟み振り子の原理を応用して取付け、作業効率の向上を図る。【選択図】図１２
2004225501.tif 000002
【特許請求の範囲】
【請求項１】
建築物の屋内、屋外に設けられた天井野縁に支点と支持を持たせた補助器具で、さらに略コ字の縦面には、長手方向両端に所定寸法の切り込みを設けたことを特徴とする。
【発明の詳細な説明】
【０００１】
【産業上の利用分野】
発明は建築物の天井板張り時に、天井板の両端を支持する天井板張り工事用補助器具
【０００２】
【従来の技術】
従来の技術では、図２２エアーリフトもしくは、図２３トンボを使ったり、図２１に示すように肩や頭で支えながらビスを打って止めることが一般的である。
【０００３】
【発明が解決しようとする課題】
従来の技術で述べたように、エアーリフト、トンボ、頭、肩、腕で支えながらボードを野縁に取り付ける以外に作業人員を２〜３人でボードを持つ人及びビスを打つ人と別れて作業している。作業効率が悪く、また足場から落ちるといった危険もある。
【０００４】
また、エアーリフター図２２を現場に持ち込んだりすると、道具が大変いっぱい入る事から問題点を有していた。
【０００５】
また、一人重いボードを持ち上げて野縁に止める場合、上部だけ見て作業するので、足場からの転落が頻繁に起きうり、非常に危険を伴う恐れがある。
【０００６】
発明は、従来の技術の問題点を克服し、天井板の両端を支持する天井板張り工事用補助器具を提供しようとするものである。
【０００７】
【課題を解決するための手段】
上記に述べた課題を解決するための手段としては、屋内、屋外の作業において、あらゆる方向で、天井野縁にボードを固定することである。
【０００８】
また、発明の請求項１は、金属工事、木工事にかかわらず、振り子の原理に基づき作業の効率を図るものである。
【０００９】
発明の請求項１においては、振り子の原理を応用し、作業性の向上が出来るように設計をしてある。
【００１０】
発明の最大の利点は請求項１、あらゆる方向から固定できるように、天井板張り工事用補助器具、図５Ｃ面、図１０Ｃ面に切り込みを入れることである。
【００１１】
【実施例】
発明の実施例について、図面を参照して説明する。
図１に示すように、屋内、屋外天井板張り工事用補助器具Ａ・Ｂとボードを差し込み、体の向きを変えＣ・Ｄと補助器具を固定するものである。
【００１２】
また、同じ要領にて、Ｅ・Ｆとボードを差し込み、Ｇ・Ｆと補助器具を取り付ける。
【００１３】
上記に述べた、００１１、００１２の要領でつぎつぎとボードを固定していく事によって従来の作業効率がアップしていく。
【００１４】
従来の作業人員が二人必要なところでも、一人で作業出来るといったメリットも生まれる。
【００１５】
また、ボードだけでなく、化粧石膏ボードといったものから、ケイカル板、ベニア、ありとあらゆる商品に対応できるよう設計してある。
【００１６】
図３、４、５、６、８、９、１０、１１と振り子の原理を応用してあるため、必ず隙間が１４ｍ／ｍに止まるように設計してあります。
【００１７】
発明の請求項１は、支点がしっかりしている為少々では野縁から外れることがなく作業が可能になっています。
【００１８】
発明は、請求項１にあるように、取り外しが非常にスムーズに出来るように設計してあります。Ｘ−Ｘ断面については図１７、１８は左上部に４０°上げる事によって外れるようになっています。
【００１９】
また、図１９、２０においては、矢印の方向に３０ｍ／ｍずらすだけで外れるようになっています。
【００２０】
上記のような天井板張り工事用補助器具は、例えばアルミダイカスト、ジュラルミン、ステンレス、スチール亜鉛メッキ、強化塩ビプラスチックなどの成型が望まれる。
【００２１】
【発明の効果】
発明の請求項１、天井板張り工事用補助器具を使うことによって、従来に要する力が半分以下に軽減されるので、作業効率が向上する。
【００２２】
発明の請求項１の天井板張り工事用補助器具が建築業界の発展と作業者皆々様の作業効率アップになることを節に願う次第です。
【００２３】
【特許文献１】
【１１】実用新案出願公開番号    実開平６−３５５１４
【４３】公開日  平成６年（１９９４）５月１３日
特開平５−９８７２８
【４３】公開日  平成５年（１９９３）４月２０日
実開平５−４７２０４
【４３】公開日  平成５年（１９９３）６月２２日
【００２４】
上記００２３に述べてある案件との違いは、思考、用途、形状、作業性において違いがあると思われる。
【図面の簡単な説明】
【図１】発明に係る請求項１の天井板張り工事用補助器具配置を示す概略図である。
【図２】発明に係る請求項１の天井板張り工事用補助器具レイアウトを示す斜視図である。
【図３】発明に係る請求項１の天井板張り工事用補助器具Ａ面断面図である。
【図４】発明に係る請求項１の天井板張り工事用補助器具Ｂ面断面図である。
【図５】発明に係る請求項１の天井板張り工事用補助器具Ｃ面立面図である。
【図６】発明に係る請求項１の天井板張り工事用補助器具Ｄ面立面図である。
【図７】発明に係る請求項１の天井板張り工事用補助器具レイアウトを示す斜視図である。
【図８】発明に係る請求項１の天井板張り工事用補助器具Ａ面断面図である。
【図９】発明に係る請求項１の天井板張り工事用補助器具Ｂ面断面図である。
【図１０】発明に係る請求項１の天井板張り工事用補助器具Ｃ面立面図である。
【図１１】発明に係る請求項１の天井板張り工事用補助器具Ｄ面立面図である。
【図１２】発明に係る請求項１の天井板張り工事用補助器具の支点と振り子状況を表す、Ｘ−Ｘ断面図である。
【図１３】発明に係る請求項１の天井板張り工事用補助器具の支点と振り子状況を表す、Ｘ−Ｘ断面図である。
【図１４】発明に係る請求項１の天井板張り工事用補助器具の支点と振り子状況を表すＹ−Ｙ断面図である。
【図１５】発明に係る請求項１のＣ面レイアウト図である。
【図１６】発明に係る請求項１の天井板張り工事用補助器具の支点と振り子状況を表すＹ−Ｙ断面図である。
【図１７】発明に係る請求項１の天井板張り工事用補助器具取り外し状況を表すＸ−Ｘ断面図である
【図１８】発明に係る請求項１の天井板張り工事用補助器具取り外し状況を表すＸ−Ｘ断面図である。
【図１９】発明に係る請求項１の天井板張り工事用補助器具取り外し状況を表すＹ−Ｙ断面図である。
【図２０】発明に係る請求項１の天井板張り工事用補助器具取り外し状況を表すＹ−Ｙ断面図である。
【図２１】発明に係る在来工法による施工状況を表す。
【図１】
2004225501.tif 000003
【図２】
2004225501.tif 000004
【図３】
2004225501.tif 000005
【図５】
2004225501.tif 000006
【図７】
2004225501.tif 000007
【図８】
2004225501.tif 000008
【図１０】
2004225501.tif 000009
【図１２】
2004225501.tif 000010
【図１３】
2004225501.tif 000011
【図１４】
2004225501.tif 000012
【図１５】
2004225501.tif 000013
【図１６】
2004225501.tif 000014
【図１７】
2004225501.tif 000015
【図１８】
2004225501.tif 000016
【図１９】
2004225501.tif 000017
【図２０】
2004225501.tif 000018
【図２１】
2004225501.tif 000019
【図２２】
2004225501.tif 000020
【図２３】
2004225501.tif 000021
【手続補正書】
【提出日】平成15年4月1日(2003.4.1)
【手続補正２】
【補正対象書類名】明細書
【補正対象項目名】全文
【補正方法】変更
【補正の内容】
【特許請求の範囲】
【請求項１】建築物の屋内、屋外に設けられた天井野縁に支点と支持を持たせた補助器具で、さらに略コ字の縦面には、長手方向両端に所定寸法の切り込みを設けたことを特徴とする。
【発明の詳細な説明】
【０００１】
【発明の属する技術分野】
発明は建築物の天井板張り時に、天井板の両端を支持する天井板張り工事用補助器具
【０００２】
【従来の技術】
従来の技術では、図２２エアーリフトもしくは、図２３トンボを使ったり、図２１に示すように肩や頭で支えながらビスを打って止めることが一般的である。
【０００３】
【発明が解決しようとする課題】
従来の技術で述べたように、エアーリフト、トンボ、頭、肩、腕で支えながらボードを野縁に取り付ける以外に作業人員を２〜３人でボードを持つ人及びビスを打つ人と別れて作業している。作業効率が悪く、また足場から落ちるといった危険もある。
【０００４】
また、エアーリフター図２２を現場に持ち込んだりすると、道具が大変いっぱい入る事から問題点を有していた。
【０００５】
また、一人重いボードを持ち上げて野縁に止める場合、上部だけ見て作業するので、足場からの転落が頻繁に起きうり、非常に危険を伴う恐れがある。
【０００６】
発明は、従来の技術の問題点を克服し、天井板の両端を支持する天井板張り工事用補助器具を提供しようとするものである。
【０００７】
【課題を解決するための手段】
上記に述べた課題を解決するための手段としては、屋内、屋外の作業において、あらゆる方向で、天井野縁にボードを固定することである。
【０００８】
また、発明の請求項１は、金属工事、木工事にかかわらず、振り子の原理に基づき作業の効率を図るものである。
【０００９】
発明の請求項１においては、振り子の原理を応用し、作業性の向上が出来るように設計をしてある。
【００１０】
発明の最大の利点は請求項１、あらゆる方向から固定できるように、天井板張り工事用補助器具、図５Ｃ面、図１０Ｃ面に切り込みを入れることである。
【００１１】
【実施例】
発明の実施例について、図面を参照して説明する。
図１に示すように、屋内、屋外天井板張り工事用補助器具Ａ・Ｂとボードを差し込み、体の向きを変えＣ・Ｄと補助器具を固定するものである。
【００１２】
また、同じ要領にて、Ｅ・Ｆとボードを差し込み、Ｇ・Ｆと補助器具を取り付ける。
【００１３】
上記に述べた、００１１、００１２の要領でつぎつぎとボードを固定していく事によって従来の作業効率がアップしていく。
【００１４】
従来の作業人員が二人必要なところでも、一人で作業出来るといったメリットも生まれる。
【００１５】
また、ボードだけでなく、化粧石膏ボードといったものから、ケイカル板、ベニヤ、ありとあらゆる商品に対応できるよう設計してある。
【００１６】
図３、４、５、６、８、９、１０、１１と振り子の原理を応用してあるため、必ず隙間が１４ｍ／ｍに止まるように設計してあります。
【００１７】
発明の請求項１は、支点がしっかりしている為少々では野縁から外れることがなく作業が可能になっています。
【００１８】
発明は、請求項１にあるように、取り外しが非常にスムーズに出来るように設計してあります。Ｘ−Ｘ断面については図１７、１８は左上部に４０°上げる事によって外れるようになっています。
【００１９】
また、図１９、２０においては、矢印の方向に３０ｍ／ｍずらすだけで外れるようになっています。
【００２０】
上記のような天井板張り工事用補助器具は、例えばアルミダイカスト、ジュラルミン、ステンレス、スチール亜鉛メッキ、強化塩ビプラスチックなどの成型が望まれる。
【００２１】
【発明の効果】
発明の請求項１、天井板張り工事用補助器具を使うことによって、従来に要する力が半分以下に軽減されるので、作業効率が向上する。
【００２２】
発明の請求項１の天井板張り工事用補助器具が建築業界の発展と作業者皆々様の作業効率アップになることを切実に願う次第です。
【００２３】
【特許文献１】
【１１】実用新案出願公開番号    実開平６−３５５１４
【４３】公開日  平成６年（１９９４）５月１３日
特開平５−９８７２８
【４３】公開日  平成５年（１９９３）４月２０日
実開平５−４７２０４
【４３】公開日  平成５年（１９９３）６月２２日
【００２４】
上記００２３に述べてある案件との違いは、思考、用途、形状、作業性において違いがあると思われる。
【図面の簡単な説明】
【図１】発明に係る請求項１の天井板張り工事用補助器具配置を示す概略図である。
【図２】発明に係る請求項１の天井板張り工事用補助器具レイアウトを示す斜視図である。
【図３】発明に係る請求項１の天井板張り工事用補助器具Ａ面断面図である。
【図４】発明に係る請求項１の天井板張り工事用補助器具Ｂ面断面図である。
【図５】発明に係る請求項１の天井板張り工事用補助器具Ｃ面立面図である。
【図６】発明に係る請求項１の天井板張り工事用補助器具Ｄ面立面図である。
【図７】発明に係る請求項１の天井板張り工事用補助器具レイアウトを示す斜視図である。
【図８】発明に係る請求項１の天井板張り工事用補助器具Ａ面断面図である。
【図９】発明に係る請求項１の天井板張り工事用補助器具Ｂ面断面図である。
【図１０】発明に係る請求項１の天井板張り工事用補助器具Ｃ面立面図である。
【図１１】発明に係る請求項１の天井板張り工事用補助器具Ｄ面立面図である。
【図１２】発明に係る請求項１の天井板張り工事用補助器具の支点と振り子状況を表す、Ｘ−Ｘ断面図である。
【図１３】発明に係る請求項１の天井板張り工事用補助器具の支点と振り子状況を表す、Ｘ−Ｘ断面図である。
【図１４】発明に係る請求項１の天井板張り工事用補助器具の支点と振り子状況を表すＹ−Ｙ断面図である。
【図１５】発明に係る請求項１のＣ面レイアウト図である。
【図１６】発明に係る請求項１の天井板張り工事用補助器具の支点と振り子状況を表すＹ−Ｙ断面図である。
【図１７】発明に係る請求項１の天井板張り工事用補助器具取り外し状況を表すＸ−Ｘ断面図である
【図１８】発明に係る請求項１の天井板張り工事用補助器具取り外し状況を表すＸ−Ｘ断面図である。
【図１９】発明に係る請求項１の天井板張り工事用補助器具取り外し状況を表すＹ−Ｙ断面図である。
【図２０】発明に係る請求項１の天井板張り工事用補助器具取り外し状況を表すＹ−Ｙ断面図である。
【図２１】発明に係る在来工法による施工状況を表す。


【手続補正３】
【補正対象書類名】図面
【補正対象項目名】全図
【補正方法】変更
【補正の内容】
【図１】
2004225501.tif 000022
【図２】
2004225501.tif 000023
【図３】
2004225501.tif 000024
【図４】
2004225501.tif 000025
【図５】
2004225501.tif 000026
【図６】
2004225501.tif 000027
【図７】
2004225501.tif 000028
【図８】
2004225501.tif 000029
【図９】
2004225501.tif 000030
【図１０】
2004225501.tif 000031
【図１１】
2004225501.tif 000032
【図１２】
2004225501.tif 000033
【図１３】
2004225501.tif 000034
【図１４】
2004225501.tif 000035
【図１５】
2004225501.tif 000036
【図１６】
2004225501.tif 000037
【図１７】
2004225501.tif 000038
【図１８】
2004225501.tif 000039
【図１９】
2004225501.tif 000040
【図２０】
2004225501.tif 000041
【図２１】
2004225501.tif 000042
【図２２】
2004225501.tif 000043
【図２３】
2004225501.tif 000044
【手続補正書】
【提出日】平成15年6月23日(2003.6.23)
【手続補正１】
【補正対象書類名】明細書
【補正対象項目名】図面の簡単な説明
【補正方法】変更
【補正の内容】
【図面の簡単な説明】
【図１】発明に係る請求項１の天井板張り工事用補助器具配置を示す概略図である。
【図２】発明に係る請求項１の天井板張り工事用補助器具レイアウトを示す斜視図である。
【図３】発明に係る請求項１の天井板張り工事用補助器具Ａ面断面図である。
【図４】発明に係る請求項１の天井板張り工事用補助器具Ｂ面断面図である。
【図５】発明に係る請求項１の天井板張り工事用補助器具Ｃ面立面図である。
【図６】発明に係る請求項１の天井板張り工事用補助器具Ｄ面立面図である。
【図７】発明に係る請求項１の天井板張り工事用補助器具レイアウトを示す斜視図である。
【図８】発明に係る請求項１の天井板張り工事用補助器具Ａ面断面図である。
【図９】発明に係る請求項１の天井板張り工事用補助器具Ｂ面断面図である。
【図１０】発明に係る請求項１の天井板張り工事用補助器具Ｃ面立面図である。
【図１１】発明に係る請求項１の天井板張り工事用補助器具Ｄ面立面図である。
【図１２】発明に係る請求項１の天井板張り工事用補助器具の支点と振り子状況を表す、Ｘ−Ｘ断面図である。
【図１３】発明に係る請求項１の天井板張り工事用補助器具の支点と振り子状況を表す、Ｘ−Ｘ断面図である。
【図１４】発明に係る請求項１の天井板張り工事用補助器具の支点と振り子状況を表す、Ｙ−Ｙ断面図である。
【図１５】発明に係る請求項１のＣ面レイアウト図である。
【図１６】発明に係る請求項１の天井板張り工事用補助器具の支点と振り子状況を表す、Ｙ−Ｙ断面図である。
【図１７】発明に係る請求項１の天井板張り工事用補助器具取り外し状況を表すＸ−Ｘ断面図である。
【図１８】発明に係る請求項１の天井板張り工事用補助器具取り外し状況を表すＸ−Ｘ断面図である。
【図１９】発明に係る請求項１の天井板張り工事用補助器具取り外し状況を表すＹ−Ｙ断面図である。
【図２０】発明に係る請求項１の天井板張り工事用補助器具取り外し状況を表すＹ−Ｙ断面図である。
【図２１】発明に係る在来工法による施工状況を表す。
【図２２】発明に係る在来工法によるエアーリフト施工状況を表す。
【図２３】発明に係る在来工法によるトンボを使った施工状況を表す。